(57)【要約】      （修正有）【課題】フラップを胴部の外側に折り返した状態で確実に保持することができるとともに、作業の邪魔になりにくいロック片を有する包装箱を提供する。【解決手段】    建築現場の足場１を覆う矩形状の工事用シート２の連結具３である。工事用シート２の上端部に取り付けられ、横パイプ１２に着脱可能な面ファスナー３１と、工事用シート２の両側縁部に取り付けられるタックボタン３２と、縦パイプ１１に沿って取り付けられ、タックボタン３２を摺動可能に収容できる管状のガイドレール３３とを備える。ガイドレール３３は、タックボタン３２をガイドレール３３の内部空間に挿入する挿入孔３３２ａと、垂直方向に延びる開口溝３３３とを有する。【選択図】図４
2020023780.tif 000002
【特許請求の範囲】
【請求項１】
建築現場の足場を覆う矩形状の工事用シートの連結具であって、
前記工事用シートの上端部に取り付けられ、前記足場を構成する水平方向に延びるパイプに着脱可能な固定具と、
前記工事用シートの両側縁部に取り付けられ、前記工事用シートに固定される首部及び該首部の先端部から該首部の軸線方向から離れる方向に張り出した頭部を有する突起部と、
前記足場を構成する垂直方向に延びるパイプに沿って取り付けられ、前記突起部を摺動可能に収容できる内部空間を有する管状のガイドレールとを備え、
前記ガイドレールは、上端部に設けられ、前記突起部を前記内部空間に挿入する挿入孔と、該挿入孔の下方に連通され、水平方向の幅が前記首部の水平方向の幅より大、かつ、前記頭部の水平方向の幅より小であって垂直方向に延びる開口溝とを有することを特徴とする工事用シートの連結具。
【請求項２】
前記ガイドレールの下端が開放されている請求項１記載の工事用シートの連結具。
【請求項３】
建築現場の足場を覆う矩形状の工事用シートの連結具であって、
前記工事用シートの両側縁部に取り付けられ、前記工事用シートに固定される首部及び該首部の先端部から該首部の軸線方向から離れる方向に張り出した頭部を有する突起部と、
前記足場を構成する垂直方向に延びるパイプに取り付けられ、かつ、前記突起部が着脱自在に装着される取付機構とを備え、
前記取付機構は、水平方向に延びる上下一対の延出部と、両延出部の基端を連結し、該両延出部を相対的に角度変化可能に支持するとともに該両延出部の先端が離間する方向に付勢する連結弾性部と、少なくとも一方の延出部の先端に設けられ、前記連結弾性部の付勢力に抗して他方の延出部の先端が掛止される掛止部とを備え、
前記延出部は、該延出部の延出方向の中間部に形成され、該延出方向及び垂直方向に交わる方向に突出するように屈曲し、前記垂直方向に延びるパイプの外周を係止する係止部と、該延出部の中間部と端部との間に形成され、対向する延出部に近づく方向に突出するように屈曲した屈曲部とを有し、
前記屈曲部は、
前記連結弾性部の付勢力に抗して前記両延出部の先端を接近する方向に付勢したとき、対向する延出部と少なくとも２箇所で交差し、該交点間の該延出部と屈曲部とで閉じられる領域の内径が前記頭部の外径より大となるとともに、前記連結弾性部を前記付勢から解放したとき、前記領域の内径が前記頭部の外径より小となることを特徴とする工事用シートの連結具。
【発明の詳細な説明】
【技術分野】
【０００１】
本発明は、建築現場の足場を覆う工事用シートの連結具に関する。
【背景技術】
【０００２】
従来、建築現場において、各種の建築物を構築または修理したりする場合などにおいては、当該建築物の周囲を覆う養生用ネットやシート（以下、単に「工事用シート」という。）を配設し、工具や資材等の落下防止や飛散物による公害の発生の防止などが図られている。このような工事用シートを建築物の周囲へ配設するには、建築物の周囲に単管パイプ等からなる支柱を縦横に組み上げることで足場とし、この各支柱に対して、矩形状のシートの縁部を、当該縁部に設けた鳩目の部分を連結用の紐で支柱に縛り付けることで固定させる。
【０００３】
しかしながら、この工事用シートは、固定する際には全鳩目に対して紐を縛り付ける必要があり、同様に取り外す際には全ての紐を解く或いは切断する必要があるため、作業が煩雑であるという問題がある。
【０００４】
これに対し、基端部が前記鳩目に取付けられ、先端が開口する略Ｃ字形の工事用シート固定具が知られている（例えば、特許文献１参照）。
【０００５】
この特許文献１の工事用シート固定具によれば、前記支柱を前記開口から押し込んで嵌合させるだけで取り付けることができる。
【先行技術文献】
【特許文献】
【０００６】
【特許文献１】特許５９０８６３９号公報
【発明の概要】
【発明が解決しようとする課題】
【０００７】
しかしながら、特許文献１の工事用シート固定具は、紐を結ぶ作業に比しては作業効率が向上しているが、前記支柱に対して、工事用シートの鳩目を所定位置に配置して各工事用シート固定具を嵌合させていく作業が必要であることから、作業がやはり煩雑であり、上記問題の解決には至っていない。
【０００８】
本発明は以上の点に鑑みてなされたものであり、建築現場の足場に対して工事用シートを容易に取り付けられる工事用シートの連結具を提供することを目的とする。
【課題を解決するための手段】
【０００９】
上記目的を達成するために、本発明の第１の工事用シートの連結具は、建築現場の足場を覆う矩形状の工事用シートの連結具であって、前記工事用シートの上端部に取り付けられ、前記足場を構成する水平方向に延びるパイプに着脱可能な固定具と、前記工事用シートの両側縁部に取り付けられ、前記工事用シートに固定される首部及び該首部の先端部から該首部の軸線方向から離れる方向に張り出した頭部を有する突起部と、前記足場を構成する垂直方向に延びるパイプに沿って取り付けられ、前記突起部を摺動可能に収容できる内部空間を有する管状のガイドレールとを備え、前記ガイドレールは、上端部に設けられ、前記突起部を前記内部空間に挿入する挿入孔と、該挿入孔の下方に連通され、水平方向の幅が前記首部の水平方向の幅より大、かつ、前記頭部の水平方向の幅より小であって垂直方向に延びる開口溝とを有することを特徴とする。
【００１０】
本発明の工事用シートの連結具では、前記足場を構成する水平方向に延びるパイプに固定具を取り付けてから、前記工事用シートの下側から両側縁部に取り付けられた突起部をガイドレールの挿入孔に挿入していく。
【００１１】
すると、このガイドレールは垂直方向に延び、かつ、前記突起部がその内部空間を摺動可能であるため、突起部及びこれが固定された工事用シートは、自重により順次下方に滑り落ちていく。
【００１２】
このとき、突起部に対するガイドレールの開口溝の水平方向の幅は、前記首部の幅より大、かつ、前記頭部の幅より小であるため、摺動する突起部がガイドレールから外れることが防止される。
【００１３】
したがって、本発明の工事用シートの連結具によれば、パイプに固定具を取り付けて突起部をガイドレールの挿入孔に挿入することで、建築現場の足場に対して工事用シートを容易に取り付けることができる。
【００１４】
本発明の工事用シートの連結具では、前記ガイドレールは、下端が開放されていることが好ましい。
【００１５】
これによれば、前記固定具を水平方向に延びるパイプから取り外すだけで、突起部は自重により順次下方に滑り落ちていき、ガイドレールの下端から抜け出ていくため、建築現場の足場から工事用シートを容易に取り外すことができる。
【００１６】
本発明の第２の工事用シートの連結具は、建築現場の足場を覆う矩形状の工事用シートの連結具であって、前記工事用シートの両側縁部に取り付けられ、前記工事用シートに固定される首部及び該首部の先端部から該首部の軸線方向から離れる方向に張り出した頭部を有する突起部と、前記足場を構成する垂直方向に延びるパイプに取り付けられ、かつ、前記突起部が着脱自在に装着される取付機構とを備え、前記取付機構は、水平方向に延びる上下一対の延出部と、両延出部の基端を連結し、該両延出部を相対的に角度変化可能に支持するとともに該両延出部の先端が離間する方向に付勢する連結弾性部と、少なくとも一方の延出部の先端に設けられ、前記連結弾性部の付勢力に抗して他方の延出部の先端が掛止される掛止部とを備え、
前記延出部は、該延出部の延出方向の中間部に形成され、該延出方向及び垂直方向に交わる方向に突出するように屈曲し、前記垂直方向に延びるパイプの外周を係止する係止部と、該延出部の中間部と端部との間に形成され、対向する延出部に近づく方向に突出するように屈曲した屈曲部とを有し、前記屈曲部は、前記連結弾性部の付勢力に抗して前記両延出部の先端を接近する方向に付勢したとき、対向する延出部と少なくとも２箇所で交差し、該交点間の該延出部と屈曲部とで閉じられる領域の内径が前記頭部の外径より大となるとともに、前記連結弾性部を前記付勢から解放したとき、前記領域の内径が前記頭部の外径より小となることを特徴とする。
【００１７】
本発明の取付機構は、一旦、掛止部を解除して両延出部の先端を離間する方向に開くことで、両延出部の間に足場を構成する垂直方向に延びるパイプを挿入できる。次いで、両延出部の先端を接近させて掛止部に引っかけることで、該延出部の中間部に形成された係止部と対向する他方延出部とでパイプを挟持して、パイプに係止させることができる。
【００１８】
また、取付機構は、前記両延出部の先端を接近する方向に付勢すると、屈曲部と対向する延出部とで閉じられる領域の内径が前記頭部の外径より大となるため、該領域内に突起部を頭部から首部まで挿入できる。次いで、前記連結弾性部を前記付勢から解放すると、前記領域の内径が頭部の外径より小となるため、頭部は前記領域から抜けなくなる。
【００１９】
したがって、本発明の工事用シートの連結具によれば、取付機構の両延出部を操作することで建築現場の足場に対して工事用シートを容易に取り付けることができる。
【図面の簡単な説明】
【００２０】
【図１】図１Ａは、第１実施形態の工事用シートの連結具を建築現場の足場に取り付けた使用例を示す正面図、図１Ｂは、足場の組立を説明する斜視図。
【図２】第１実施形態の工事用シートの裏面を示す背面図。
【図３】第１実施形態のガイドレールを示す説明図であって、図３Ａは、上端付近を示す斜視図、図３Ｂは、足場に取り付けた状態を示す一部縦断面図。
【図４】図４Ａは、第１実施形態のガイドレールに工事用シートを取付方法を示す背面方向からの斜視図。図４Ｂは、ガイドレールに工事用シートを取り付けた状態の一部横断面図。
【図５】第２実施形態の工事用シートの連結具に係る取付機構を示す斜視図。
【図６】第２実施形態の取付機構に工事用シートを取り付ける際の操作を示す説明図であって、図６Ａは、取付機構に工事用シートを取り付け完了した状態を示す正面図であって、図６Ｂは、、取付機構に工事用シートを取り付ける際の状態を示す正面図。
【図７】第２実施形態の取付機構の変形例を示す斜視図。
【発明を実施するための形態】
【００２１】
［第１実施形態］
本発明の第１実施形態を図１〜図４に基づいて説明する。
【００２２】
第１実施形態の工事用シートの連結具は、図１Ａに示すように、建築現場の足場１を工事用シート２で覆う際に用いる連結具３である。連結具３は、面ファスナー３１（本発明の「固定具」に相当。）、タックボタン３２（本発明の「突起部」に相当。）、ガイドレール３３の３つの部材から構成されている。
【００２３】
図１Ａでは説明のために、図面に向かって右側に建築現場の足場１を工事用シート２で覆った状態、左下にガイドレール３３のみを取り付けた状態、左上に足場１のみの状態を記載している。
【００２４】
足場１は、垂直方向に延びる縦パイプ１１と、水平方向に延びる横パイプ１２とが連続して格子状に組み付けられている。縦パイプ１１の外周には、径方向外側に「コ」の字状に突出するポケット金具１３が設けられている。
【００２５】
本実施形態では、図１Ｂに示すように、縦パイプ１１のポケット金具１３に横パイプ１２の先端外周から径方向外側に張り出した挿入突起を挿入することで、足場が組みたてられている。
【００２６】
次に、図２を用いて第１実施形態の工事用シート２を説明する。本実施形態では、足場１に組み付けた状態を表側として説明するので、図２では、工事用シートの裏面であって家などの工事対象物に対向する側の面を説明する。
【００２７】
図２に示すように、工事用シート２の上下端は、上端縁及び下端縁に沿って袋状の収納部２１が形成されている。収納部２１には、鉄製のシャフト２２が挿入されている。
【００２８】
工事用シート２の中央部には、把持可能な把持部２３が縫着されている。
【００２９】
工事用シート２の上端部には、一対の面ファスナー３１が間隔を存して縫着されている。面ファスナー３１は、横パイプ１２に巻きつけて貼り付けることで、工事用シート２を横パイプ１２に吊るすことができる。
【００３０】
工事用シート２の両側縁には、真鍮製のタックボタン３２が取り付けられている。タックボタン３２は、所定の間隔を存して複数取り付けられる。
【００３１】
タックボタン３２は、本体部３２１と画鋲状のリベット３２２とを有する。本体部３２１は、円筒形の首部３２３と、首部３２３の先端から径方向外側に張り出す円盤状の頭部３２４とからなる。
【００３２】
タックボタン３２は、リベット３２２の針先を工事用シート２の表側から突き刺して貫通させてから、首部３２３に基端側から挿入し、かしめることで取り付けることができる。
【００３３】
図３Ａに示すように、ガイドレール３３は、横方向に延びる連結板３３１の左右端に固定された垂直方向に延びる一対の角筒状のレール部３３２とを備える。
【００３４】
レール部３３２は、上端が閉塞されておらず開口している（本発明の「挿入孔」に相当。以下「上端開口３３２ａ」という。）。同様に、レール部３３２は、下端も閉塞されておらず開口している（下端は図示省略。以下「下端開口３３２ｂ」という。）。また、レール部３３２は、表側左右方向中央部に上端から下端まで垂直方向に延びる開口溝３３３が設けられている。これにより、レール部３３２の横断面は略「Ｃ」字状に形成されている。
【００３５】
図３Ｂに示すように、連結板３３１のレール部３３２が取り付けられた面の反対側の面には、逆「Ｌ」字状の差込部３３４が設けられている。ガイドレール３３は、差込部３３４を縦パイプ１１のポケット金具１３に差し込むことで足場１に取り付けることができる。
【００３６】
次に、工事用シート２を足場１に取り付ける方法を説明する。
【００３７】
まず、工事用シート２の上端部に設けられた面ファスナー３１を、足場１の横パイプ１２に巻きつけて取り付ける。
【００３８】
次いで、図４Ａに示すように、レール部３３２の上端開口３３２ａに、タックボタン３２を工事用シート２の下端側から順次を嵌め込んでいく。
【００３９】
このとき、レール部３３２の内部空間は、図４Ｂに示すように、頭部３２４の横幅（図４Ｂの左右方向）及び厚み（同上下方向）以上であって、頭部３２４を収納可能である。そして、レール部３３２の開口溝３３３の横幅（図４Ｂの左右方向）は、首部３２３の横幅（図４Ｂの左右方向）以上であるとともに、頭部３２４の横幅（図４Ｂの左右方向）より小である。
【００４０】
これにより、タックボタン３２は、レール部３３２の開口溝３３３に沿って、下方に摺動できる。この結果、工事用シート２は、自重によってガイドレール３３の上側から下側に取り付けられていく。そして、全てのタックボタン３２を嵌め込むと、工事用シート２は、面ファスナー３１によって横パイプ１２に吊るされて、取り付けが完了する。
【００４１】
以上の構成を備える第１実施形態の連結具３によれば、面ファスナー３１を、足場１の横パイプ１２に巻きつけて取り付けて、レール部３３２の上端開口３３２ａに、タックボタン３２を工事用シート２の基端側から順次を嵌め込むだけで、工事用シート２を足場１に取り付けることができる。
【００４２】
このとき、タックボタン３２は、頭部３２４の横幅（図４Ｂの左右方向）がレール部３３２の開口溝３３３の横幅（図４Ｂの左右方向）より大であるため、下方に向かって摺動する際に誤ってガイドレール３３から外れることが防止される。
【００４３】
また、工事用シート２は、面ファスナー３１を足場１の横パイプ１２から外すだけで、レール部３３２の下端開口３３２ｂから、自重によって取り外すことができる。
【００４４】
また、工事用シート２は、上下端縁に鉄製のシャフト２２が挿入されているため、横パイプ１２に結びつけなくても、前後方向（図１の奥行き方向）の変形を防止することができる。
【００４５】
また、工事用シート２は中央部に把持可能な把持部２３が縫着されているため、換気などの際に容易に開閉することができる。
【００４６】
また、第１実施形態のタックボタン３２は、リベット３２２をかしめることで取り付けることができるため、取付けが容易である。
【００４７】
また、第１実施形態のレール部３３２は、上下端が開口しているので、タックボタン３２の取付け及び取外しが容易である。
【００４８】
また、１実施形態のガイドレール３３は、差込部３３４を縦パイプ１１のポケット金具１３に差し込むことで足場１に取り付けることができるため、取付けが容易である
【００４９】
［変形例］
なお、第１実施形態の連結具３は、上記構成に限定されるものではなく、適宜、変更することができる。
【００５０】
例えば、第１実施形態では、本発明の「固定具」の例として面ファスナー３１を用いたものを説明したが、「固定具」は、紐やゴムで締結するものでもよく、Ｓ字状などのフックなど掛止するものでもよい。
【００５１】
タックボタン３２は、所謂デニム等に取り付けられるボタンと類似の外形・構造にすることもできるという例示であって、市販されているボタンそのものに限られるものではなく、本発明の連結具３に適した大きさ・構造のものとして設計してもよいことはもちろんである。同様に、第１実施形態では材質として真鍮を用いたが、アルミやステンレスなど他の金属素材でもよく、樹脂製でもあってもよい。
【００５２】
第１実施形態では、本発明の「突起部」の例としてタックボタン３２を説明したが、突起部はこれに限られるものではなく、首部３２３及び頭部３２４は、その一方又は双方が円筒状に限られず、円柱状、角筒状、角柱状などであってもよい。さらに、工事用シート２を背面視（図２を正面から見た方向）したとき、上下左右対称な円形状あるいは正方形状に限られず、楕円形や長方形であってもよい。
【００５３】
さらは、首部３２３及び頭部３２４とが一体的に略円錐状、四角錘状などに成型され、工事用シート２を平面視したとき、本体部３２１が二等辺三角形状、半円状であってもよい。つまり、本体部３２１は、工事用シート２を平面視したとき、工事用シート２に取り付けられる基端側より先端側の横幅が大であって、レール部３３２の開口溝３３３から抜け止めされればよい。
【００５４】
第１実施形態では、タックボタン３２を本体部３２１とリベット３２２とで工事用シート２を挟むことで固定したが、本発明の「突起部」はこれに限られず、接着、溶着、縫着などで取り付けてもよい。
【００５５】
工事用シート２の上下端縁には、収納部２１が形成され鉄製のシャフト２２が挿入されているが、収納部２１及びシャフト２２は省略してもよい。
【００５６】
工事用シート２の中央部には、把持可能な把持部２３が縫着されているが、位置、個数に限定はなく、省略してもよい。
【００５７】
第１実施形態のガイドレール３３は、一対の角筒状のレール部３３２を備えたものを説明したが、レール部３３２は、１本だけでもよく、円筒形であってもよい。
【００５８】
また、レール部３３２として上下端が開口しているものを説明したが、上下端が閉塞されるとともに、垂直方向に延びる開口溝３３３の上下端にタックボタン３２の頭部３２４が通過可能な大きさの孔を連設することで、本発明の「挿入部」とすることもできる。
【００５９】
このとき開口溝３３３の上端に連設された孔の上方に、開口溝３３３及び該孔に連通していない孔をさらに設けることもできる。この構成によれば、上側の孔に工事用シートの上側に取り付けられたタックボタン３２を掛止することで、本発明の「固定具」とすることができ、別途、面ファスナー３１などを取り付けることを省略することができる。
【００６０】
また、「挿入部」は、開口溝３３３の上端部に別途設けなくとも、「突起部」の上下方向の長さを左右方向よりも短く扁平に設計するとともに、開口溝３３３の幅を「突起部」の上下方向の長さより大に設計し、９０°回転させてレール部３３２の内部空間に挿入してから、９０°逆回転させることで組み付けてもよい。
【００６１】
第１実施形態のガイドレール３３は、差込部３３４を縦パイプ１１のポケット金具１３に差し込むことで足場１に取り付けるものを説明したが、ポケット金具１３はなくてもよく、ガイドレール３３と縦パイプ１１とは、連結板３３１と縦パイプ１１に図１の奥行き方向に貫通孔を設けることでボルト・ナットによって着脱可能に螺合してもよく、連結板３３１を縦パイプ１１に直接溶着してもよい。
【００６２】
［第２実施形態］
本発明の第２実施形態を図５及び図６に基づいて説明する。
【００６３】
第２実施形態の連結具３は、第１実施形態とタックボタン３２は共通であって、ガイドレール３３に代えて、図５に示すような安全ピン３４（本発明の「取付機構」に相当。）を有する。
【００６４】
安全ピン３４は、鉄製であって、横方向に延びる上下一対の棒状のシャフト部３４１（本発明の「延出部」に相当。）と、両シャフト部３４１の基端を連結するバネ部３４２（本発明の「連結弾性部」に相当。）とを備える。バネ部３４２は、両シャフト部３４１を相対的に角度変化可能に支持するとともに両シャフト部３４１の先端が離間する方向に付勢している。
【００６５】
シャフト部３４１のうち下側シャフト部３４１ａの先端には、矩形状の留め金３４３（本発明の「掛止部」に相当。）が取り付けられている。留め金３４３は、上端部が、側面視逆「Ｕ」字状に折り曲げられており、上側シャフト部３４１ｂの先端をバネ部３４２の付勢力に抗している状態で掛止することができる。
【００６６】
下側シャフト部３４１ａの中央部には、奥行き方向に突出して屈曲する係止部３４４が形成されている。係止部３４４は、縦パイプ１１の外周に沿って屈曲するとともに、縦パイプ１１の外周及び直径より若干小さく設計されており、縦パイプ１１に対して、無理嵌めされることで係止される。
【００６７】
両シャフト部３４１は、係止部３４４の左右両側に、対向するシャフト部３４１に向かって略「Ｕ」字状に屈曲する屈曲部３４５がそれぞれ形成されている。
【００６８】
以上の構成を備える安全ピン３４は、留め金３４３から上側シャフト部３４１ｂを外した状態で、両シャフト部３４１の先端側から両シャフト部３４１の間の係止部３４４まで縦パイプ１１を嵌入させた後、上側シャフト部３４１ｂの先端を留め金３４３に係止させることで、図６Ａに示すように、縦パイプ１１に取り付けられる。
【００６９】
このとき、下側シャフト部３４１ａと上側シャフト部３４１ｂとは、正面視において屈曲部３４５ａと屈曲部３４５ｂとが２箇所で交差することで、略円形状の孔部３４６（本発明における「該交点間の該延出部と屈曲部とで閉じられる領域」に相当。）が形成される。
【００７０】
図６Ａにおいて、孔部３４６の内径は、タックボタン３２の首部３２３の外径以上かつ頭部３２４の外径未満である。
【００７１】
ここから、図６Ｂに示すように、両シャフト部３４１の先端を接近する方向に付勢すると、相対的に屈曲部３４５ａが上方に変位するとともに屈曲部３４５ｂが下方に変位することで、孔部３４６の内径がタックボタン３２の頭部３２４の外径より大に変形する。
【００７２】
以上の構成を備える第２実施形態の連結具３によれば、安全ピン３４を、開閉して縦パイプ１１を嵌入させるだけで、縦パイプ１１に取り付けることができる。
【００７３】
また、安全ピン３４の下側シャフト部３４１ａと上側シャフト部３４１ｂとを付勢させるだけで、タックボタン３２を足場１に着脱することができる
【００７４】
［変形例］
なお、第２実施形態の安全ピン３４は、上記構成に限定されるものではなく、適宜、変更することができる。
【００７５】
すなわち、安全ピン３４は、所謂安全ピンと類似の外形・構造にすることもできるという例示であって、本発明の連結具３に適した大きさ・構造のものとして設計してもよいことはもちろんである。
【００７６】
また、第２実施形態の安全ピン３４は、材質として鉄製のもの説明したが、アルミやステンレスなど他の金属素材でもよく、樹脂製でもあってもよい。
【００７７】
また、第２実施形態のシャフト部３４１は、棒状のものを説明したが、板状であってもよい。
【００７８】
また、第２実施形態では「連結弾性部」としてコイルバネ状のバネ部３４２を説明したが、「連結弾性部」は、下側シャフト部３４１ａ及び上側シャフト部３４１ｂが倒「Ｕ」字状に直接連結されるものであってもよく、ゴム等の他の弾性部材によって連結されるものであってもよい。
【００７９】
また、第２実施形態では「掛止部」として矩形状の留め金３４３を説明したが、「掛止部」は、両シャフト部３４１の先端がそれぞれ対向する方向に向かって略「Ｕ」字状に屈曲し両先端を互いに絡ませて掛止させるものでもよい。
【００８０】
また、第２実施形態では「係止部」として下側シャフト部３４１ａが縦パイプ１１の外周に沿って半円状に屈曲した係止部３４４を説明したが、上側シャフト部３４１ｂが屈曲していてもよく、下側シャフト部３４１ａ及び上側シャフト部３４１ｂの両方が屈曲していてもよい。また、係止部３４４は、半円状ではなく、下側シャフト部３４１ａと上側シャフト部３４１ｂとで縦パイプ１１を挟持できればよいため、三角形状、四角形状など角形状でもよく、楕円形状であってもよく、角形状の辺を内側に凸状にカーブさせて係止部にバネ効果をもたせてもよい。さらに、縦パイプ１１に周溝を形成することで、係止力を向上させることもできる。
【００８１】
また、第２実施形態では、下側シャフト部３４１ａ及び上側シャフト部３４１ｂの両方に屈曲部３４５が形成された例を説明したが、屈曲部３４５は、下側シャフト部３４１ａ及び上側シャフト部３４１ｂの一方に形成されていてもよい。
【００８２】
また、第２実施形態では、屈曲部３４５が略「Ｕ」字状に形成されたものを説明したが、屈曲部３４５は、三角形状、四角形状など角形状でもよく、楕円形状であってもよい。
【００８３】
また、第２実施形態では、係止部３４４の左右両側に屈曲部３４５がそれぞれ形成されたものを説明したが、図７に示すように、下側シャフト部３４１ａと上側シャフト部３４１ｂとの基端側、並びに「連結弾性部」を縦パイプ１１の外周に沿って屈曲させ、下側シャフト部３４１ａと上側シャフト部３４１ｂとの先端側に上下一対の屈曲部３４５を形成することもできる。
【符号の説明】
【００８４】
１        足場
１１      垂直方向に延びるパイプ（縦パイプ）
１２      横パイプ（水平方向に延びるパイプ）
２        工事用シート
３        連結具
３１      面ファスナー（固定具）
３２      タックボタン（突起部）
３２３    首部
３２４    頭部
３３      ガイドレール
３３２ａ  上端開口（挿入孔）
３３３    開口溝
３４      安全ピン（取付機構）、
３４１    シャフト部３４１（延出部）
３４２    バネ部（連結弾性部）
３４３    留め金（掛止部）
３４４    係止部
３４５    屈曲部
３４６    孔部（領域）
【図１】
2020023780.tif 000003
【図２】
2020023780.tif 000004
【図３】
2020023780.tif 000005
【図４】
2020023780.tif 000006
【図５】
2020023780.tif 000007
【図６】
2020023780.tif 000008
【図７】
2020023780.tif 000009